(57)【特許請求の範囲】
【請求項１】
下端部に平面状の底面部を有するとともに、前記底面部と対向する上端部の上面部に開閉自在な蓋片を有し、且つ前記底面部と上面部とに連なる前面部に通気部を有する一対の箱体を、前記前面部の左右端部にて回動自在に連結し、各箱体の内部には、周囲空間に対して薬効を有する薬剤を収容したことを特徴とする薬剤容器。
【請求項２】
前記各箱体内に収容される薬剤は、周囲空間に対して相互に異なる薬効を有することを特徴とする請求項１記載の薬剤容器。
【請求項３】
前記各箱体の前面部に設けられた通気部の開口面積が相互に異なることを特徴とする請求項２記載の薬剤容器。
【請求項４】
前記薬剤は、除湿剤と脱臭剤であることを特徴とする請求項２又は３記載の薬剤容器。
【発明の詳細な説明】
【０００１】
【発明の属する技術分野】
本発明は、周囲空間に対して薬効を有する薬剤を収容してなる薬剤容器に関する。
【０００２】
【従来の技術】
従来、周囲空間に対して薬効を有する薬剤を収容し得るものとして、図４に示す構造が知られている（実開平６−２１７４２号公報参照）。すなわち、第１のハードケース３１と第２ハードケース３２とは偏平状であって、ヒンジ３３を介して連結されている。両ハードケース３１，３２は、複数の通気部３４が設けられた表面側部材３５と、この表面側部材３５の周部が貼着された裏面側部材３６、及び両部材３５，３６間に介装された通気性保護シート３７と非透水性シート３８とで構成されている。
【０００３】
各ハードケース３１，３２の内部には、通気性保護シート３７と非透水性シート３８との間に、偏平状の袋内に薬剤を充填してなる単位薬剤袋３９が収容されている。したがって、例えば第１ハードケース３１内に、除湿剤を充填してなる単位薬剤袋３９を収容し、第２ハードケース３２内に、脱臭剤を充填してなる単位薬剤袋３９を収容することにより、周囲空間に除湿効果と脱臭効果とを付与することも可能となる。
【０００４】
【発明が解決しようとする課題】
しかしながら、このような従来の構造において、両ハードケース３１，３２は、表面側部材３５、裏面側部材３６、通気性保護シート３７、非透水性シート３８等を積層して構成されている。したがって、内部に単位薬剤袋３９を収容するに際しては、例えば通気性保護シート３７と非透水性シート３８間に、単位薬剤袋３９を介装しておき、この単位薬剤袋３９を介装した該通気性保護シート３７と非透水性シート３８とを、さらに表面側部材３５と裏面側部材３６間に介装して、この表面側部材３５と裏面側部材３６の周部を貼着しなければならない。よって、製造工程が複雑となり、二種の薬効を付与する薬剤容器を低コストで製造することができない。
【０００５】
また、両ハードケース３１，３２は、ヒンジ３３を介して連結されていることから、ヒンジ３３にて両ハードケース３１，３２が直交するように屈曲すれば、起立させることが可能となる。しかし、ヒンジ３３を鈍角状に屈曲させたり、あるいは屈曲させることなく、図示のように両ハードケース３１，３２が直列状に連なる状態にすると、起立状態を維持することができず転倒してしまう。したがって、両ハードケース３１，３２の角度によっては、起立状態で配置することができず、自由な配置形態で使用することができない。
【０００６】
本発明は、このような従来の課題に鑑みてなされたものであり、製造工程の簡略化を図るとともに、屈曲角度の如何に拘わらず起立状態で配置することを可能にした薬剤容器を提供することを目的とするものである。
【０００７】
【課題を解決するための手段】
前記課題を解決するために本発明にあっては、下端部に平面状の底面部を有するとともに、前記底面部と対向する上端部の上面部に開閉自在な蓋片を有し、且つ前記底面部と上面部とに連なる前面部に通気部を有する一対の箱体を、前記前面部の左右端部にて回動自在に連結し、各箱体の内部には、周囲空間に対して薬効を有する薬剤を収容してある。かかる構成において、各箱体はその上面部が蓋片により開閉自在であることから、この上面部から各箱体の内部に、薬剤を投入することにより、容易にこの薬剤容器を完成させることができる。また、各箱体はその底面が平面状であることから、ヒンジにて両箱体が直交するように屈曲した場合は無論のこと、ヒンジにて鈍角状に屈曲させたり、あるいは屈曲させることなく、両箱体が直列状に連なる状態にしても、起立状態で配置することが可能となる。つまり、通気部を有する前面部を起立状態で配置することが可能となる。したがって、両箱体の通気部を有する前面部を任意の角度にして、起立状態で配置することができ、自由な配置形態で使用することができる。
【０００８】
また、前記各箱体内に収容される薬剤が、周囲空間に対して相互に異なる薬効を有する場合、上面部から各箱体の内部に、各々異なる薬効を有する薬剤を投入することにより、容易に複数の薬効を有する薬剤容器を完成させることができる。
【０００９】
さらに、前記各箱体の前面部に設けられた通気部の開口面積が相互に異なることにより、各箱体内に収容された薬剤の特性に応じて適正に薬効を生じさせることが可能となるとともに、異なる両薬剤の薬効の終期を同期させることも可能となる。また、前記薬剤が、除湿剤と脱臭剤であれば、除湿効果と脱臭効果とが生じ、除湿効果と脱臭効果とを必要とする箇所、例えば下駄箱内に配置するに最適な薬剤容器となる。
【００１０】
【発明の実施の形態】
以下、本発明の一実施の形態について図面に基づき説明する。すなわち、図１に示すように、本実施の形態にかかる薬剤容器１は、第１の箱体２と第２の箱体３とを有している。この両箱体２，３は、同一形状及び同一構造からなる直方体であって厚紙製であり、下端部の底面部４、この底面部４と対向する上端部の上面部５、これら底面部４と上面部５とに連なる前面部８、この前面部８と対向する背面部９、これら前面部８と背面部９の左右に連なる左側面部６と右側面部７を有し、各面部４〜９は平面状に形成され、前面部８の左右端部にて、ヒンジ１０を介して回動自在に連結されている。
【００１１】
上面部５には、図２（上面部５を展開状態にして上から見た図）に明示するように、背面部９の上端部に蓋片５ａが連設され、該蓋片５ａの先端部にはさらに長尺舌片５ｂが延設されているとともに、該長尺舌片５ｂの基部中央にはスリット５ｃが形成されている。また、前面部８の上縁中央には差込片５ｄが突設され、左側面部６と右側面部７の上端部には、各々短尺舌片５ｅが突設されている。したがって、各短尺舌片５ｅを内側に折った後、蓋片５ａを内側に折って、長尺舌片５ｅを前面部８の内面に沿って折り込んだ後、差込片５ｄをスリット５ｃに挿入することにより、各箱体２，３の上面部５が閉鎖されるように構成されている。なお底面部４側も、図２に示した上面部５側と同様の構成である。
【００１２】
第１の箱体２の前面部８には、第１通気部１１が形成され、第２の箱体３の前面部８には、第２通気部１２が形成されている。両通気部１１，１２は、共に斜状に延在する楕円形状であって同一数形成されているが、第２通気部１２にあっては第２通気部１１よりも、大きな開口面積を有している。また、第１の箱体２の左側面部６と、第２の箱体３の右側面部７とには、使用開始年月日を記入するための記入部１３が形成されている。
【００１３】
前記第１の箱体２内には除湿剤１４が収容され、第２の箱体３内には脱臭剤１５が収容されている。この除湿剤１４と脱臭剤１５とは、図３に示すように、袋体１６内に充填されており、袋体１６は充填されている薬剤の特性に応じた通気性等を有する素材で形成されている。すなわち、除湿剤１４が塩化カルシウム等の潮解性塩類である場合にはその袋体１６は、少なくともその一部が微多孔膜で形成され、シリカゲルである場合には不織布で形成されている。また、脱臭剤１５の袋体１６は、不織布で形成されている。
【００１４】
以上の構成にかかる本実施の形態において、この薬剤容器１内に、除湿剤１４と脱臭剤１５とを収容するに際しては、図２に示すように、両箱体２，３の前面部８，８を接面させた状態にするとともに、蓋片５ａ等を折り込み前の展開状態にして上面部５，５を開放しておく。そして、この状態で上方より、各々袋体１６内に充填されている除湿剤１４を第１の箱体２内に投入し、脱臭剤１５を第２の箱体３内に投入する。
【００１５】
しかる後に、各短尺舌片５ｅを内側に折った後、蓋片５ａを内側に折って、長尺舌片５ｅを前面部８の内面に沿って折り込み、さらに差込片５ｄをスリット５ｃに挿入する。これにより、各箱体２，３の上面が閉鎖されて、除湿剤１４と脱臭剤１５の収容が完了し、薬剤容器１が完成する。したがって、図４に示した従来技術のように、単位薬剤袋３９を介装した該通気性保護シート３７と非透水性シート３８とを、さらに表面側部材３５と裏面側部材３６間に介装して、この表面側部材３５と裏面側部材３６の周部を貼着するような、複雑な製造工程を伴うことはなく、薬剤容器１を低コストで製造することができる。
【００１６】
また、この薬剤容器１を使用するに際しては、記入部１３に使用開始年月を記入した後、両箱体２，３の底面部４を下駄箱内の棚板に接面させて該棚板上に載置する。このとき、各箱体２，３は底面部４が平面状であることから、図１に実線で示すように、ヒンジ１０にて両箱体２，３が直交するように屈曲した場合は無論のこと、ヒンジ１０にて鈍角状に屈曲させたり、あるいは鎖線で示すように、屈曲させることなく、両箱体２，３が直列状に連なる状態にしても、この薬剤容器１を起立状態で配置することが可能となる。したがって、両箱体２，３を１８０°内の任意の角度にして、起立状態で配置することができ、隅に配置する場合は、両箱体２，３が直交するように屈曲し、下駄箱内の隙間に介挿する場合は、両箱体２，３が直列状に連なる状態にする等、自由な配置形態で使用することができる。
【００１７】
また、各箱体２，３の前面部８，８に設けられた第１及び第２の通気部１１，１２は、第２通気部１２が第２通気部１１よりも、大きな開口面積を有している。よって、各箱体２，３内に収容された除湿剤１４と脱臭剤１５との特性に応じて適正に除湿効果と脱臭効果とを生じさせることができる。また、各箱体２，３内に同一量の除湿剤１４と脱臭剤１５とを収容した場合であっても、両者の薬効がほぼ同時期まで継続させることができ、最後まで二種の薬効を周囲空間に生じさせることができる。しかも、本実施の形態においては、第１の箱体２内に除湿剤１４が第２の箱体３内には脱臭剤３が収容されていることから、除湿効果と脱臭効果とを必要とする箇所、例えば下駄箱内に配置されて、内部の衛生状態を改善及び維持することができる。
【００１８】
なお、この実施の形態においては、一方の箱体２に除湿剤１４を収容し、他方の箱体３に脱臭剤１５を収容するようにしたが、各箱体２，３に収容される薬剤はこの組み合わせに限ることなく、同一種であってもよく芳香剤と除湿剤との組み合わせ等他の薬剤の組合わせであってもよい。また、一方の箱体２に例えば防カビ剤と除湿剤とを収容し、他方の箱体３に脱臭剤と芳香剤とを収容する等、各箱体２，３内に異なる複数種の薬剤を収容するようにしてもよい。
【００１９】
【発明の効果】
以上説明したように本発明は、下端部に平面状の底面部を有するとともに、前記底面部と対向する上端部の上面部に開閉自在な蓋片を有し、且つ前記底面部と上面部とに連なる前面部に通気部を有する一対の箱体を、前記前面部の左右端部にて回動自在に連結し、各箱体の内部には、周囲空間に対して薬効を有する薬剤を収容するようにした。よって、上面部からの投入により薬剤を箱体の内部に収容することができ、これにより、製造工程を簡略化して製造コストの低減を図ることができる。
また、各箱体は、ヒンジにて両箱体が直交するように屈曲した場合は無論のこと、ヒンジにて鈍角状に屈曲させたり、あるいは屈曲させることなく、両箱体が直列状に連なる状態にしても、起立状態で配置することが可能となる。したがって、両箱体を直列状を含む任意の角度にして起立状態で配置することができる。その結果、両箱体の通気部を有する前面部、つまり通気部を有する一対の前面部を直列状を含む任意の角度にして起立状態で配置することができる。これにより使用時の配置自由度を向上させることが可能となる。
【００２０】
さらに、各箱体の前面部に設けられた通気部の開口面積が相互に異なるようにしたことから、各箱体内に収容された薬剤の特性に応じて適正に薬効を生じさせることが可能となるとともに、各箱体内に収容された薬剤が異なってもその効果の終期を同期させることが可能となる。また、各箱体内に除湿剤と脱臭剤とを収容するようにしたことから、除湿効果と脱臭効果とを必要とする下駄箱内に配置するに最適な薬剤容器を提供することができる。
【００２１】
【図面の簡単な説明】
【図１】本発明の一実施の形態を示す斜視図である。
【図２】同実施の形態の上面部を解放した状態の平面図である。
【図３】箱体の内部に収容される薬剤の正面図である。
【図４】従来技術を示す一部破断正面図である。
【符号の説明】
１    薬剤容器
２    第１の箱体
３    第２の箱体
４    底面部
５    上面部
８    前面部
１１    第１通気部
１２    第２通気部
１４    除湿剤
１５    脱臭剤
【図１】
0003853454.tif 000002
【図２】
0003853454.tif 000003
【図３】
0003853454.tif 000004
【図４】
0003853454.tif 000005